(57)【要約】【課題】半導体装置を実装基板に実装する際の取り付け高さを精度良く調整できる半導体装置および電子装置を提供する。【解決手段】半導体チップを覆う円柱形状の樹脂封止体１０の底面４から軸方向に引き出された直線状リード３とそれを取り巻くように複数の螺旋状リード２ａおよび２ｂを設け、多重螺旋構造とした。多重螺旋構造を構成する複数の螺旋状リードは同一のピッチである。【選択図】図１
2018170376.tif 000002
【特許請求の範囲】
【請求項１】
半導体チップを覆う封止体から引き出された複数のリードからなる半導体装置であって、
前記リードが前記封止体の一主面から引き出され、前記一主面に対し垂直方向に延出された直線状リードと、
前記直線状リードと離間し、前記直線状リードを螺旋状に取り巻く螺旋状リードと、
を備える半導体装置。
【請求項２】
前記螺旋状リードのリード延出部が前記一主面に設けられていることを特徴とする請求項１に記載の半導体装置。
【請求項３】
前記螺旋状リードのリード延出部が前記一主面と異なる面に設けられていることを特徴とする請求項１に記載の半導体装置。
【請求項４】
前記一主面と異なる面が前記封止体の側面であることを特徴とする請求項３に記載の半導体装置。
【請求項５】
前記螺旋状リードの螺旋ピッチは一定であることを特徴とする請求項１乃至４のいずれか１項に記載の半導体装置。
【請求項６】
前記螺旋状リードが複数の螺旋状リードからなり、多重螺旋構造を成すことを特徴とする請求項１乃至５のいずれか１項に記載の半導体装置。
【請求項７】
前記複数の螺旋状リードの前記軸方向と垂直な方向の半径が同じであることを特徴とする請求項６に記載の半導体装置。
【請求項８】
前記複数の螺旋状リードの前記軸方向と垂直な方向の半径が異なることを特徴とする請求項６に記載の半導体装置。
【請求項９】
前記複数の螺旋状リードの少なくとも１つの前記螺旋状リードのリード延出部が前記一主面に設けられ、少なくとも他の１つの前記螺旋状リードのリード延出部が前記一主面と異なる面に設けられていることを特徴とする請求項６乃至請求項８のいずれか１項に記載の半導体装置。
【請求項１０】
前記一主面と異なる面が前記封止体の側面であることを特徴とする請求項９に記載の半導体装置。
【請求項１１】
請求項１乃至請求項１０のいずれか１項に記載の半導体装置を実装基板に実装した電子装置であって、
前記螺旋状リードを接合する前記実装基板には前記螺旋状リードが貫通する貫通孔が設けられ、
前記貫通孔は前記螺旋状リードに沿った形状であることを特徴とする電子装置。
【発明の詳細な説明】
【技術分野】
【０００１】
本発明は、半導体装置を実装する実装基板に対する取り付け高さを任意に調整できる半導体装置に関する。
【背景技術】
【０００２】
図８は、従来の半導体装置を実装基板に実装した電子装置の側面図である。
半導体装置１１のリード１２は半田９を介して実装基板１３に実装され、実装基板１３と半導体装置１１は電気的に接続されている。半導体装置１１は磁気センサのような磁気を検出する素子を搭載している場合、センシングする被測定物（例えば、磁石）との距離１５が、その検出感度に重要な影響を与える。センサとして機能する半導体装置と被測定物との距離１５は検出感度にとって重要な要因であり、実装基板１３への半導体装置１１の取り付け高さ１４を精度良く調整する必要がある。
【０００３】
特許文献１には、半導体集積回路装置の複数のリードピンが、それぞれ対応する回路配線を有する基板の実装穴に、金属からなる固定用部材を半導体集積回路装置と基板との間に介在させて挿入され、金属からなる固定用部材がリードピンの所定位置に取付けられて基板に半導体集積回路装置が固定されている電子装置が開示されている。
【０００４】
また、特許文献２には、複数のリードの中間部分を側方に突出するように円弧状に屈曲させ、その屈曲部を利用して配線基板に半導体装置を固定するという半導体リード構造が開示されている。
【先行技術文献】
【特許文献】
【０００５】
【特許文献１】特開平７−２３５６２８号公報
【特許文献２】特開２００２−９３９７８号公報
【発明の概要】
【発明が解決しようとする課題】
【０００６】
しかしながら、特許文献１に開示された電子装置では、ストレート形状のリードピンの所定位置に固定用部材を取付けて固定する方式であるから高さバラツキが大きく、取り付け高さを精度良く制御することは困難である。
【０００７】
また、特許文献２に開示された半導体リード構造では、実装基板への取り付け高さを所定の高さとすることはできるが、屈曲部の位置が決められており、半導体装置を実装する顧客側で自由に高さ調節することができない。そのため、半導体装置としての電気特性は同じながらもリード形状のみが異なる製品を顧客ごとに多数生産することになり、生産管理が煩雑になるという問題がある。
【０００８】
本発明は、かかる事情に鑑みてなされたもので、半導体装置を実装基板に実装する際に、取り付け高さを精度良く調整できる半導体装置および電子装置の提供を目的とする。
【課題を解決するための手段】
【０００９】
上記課題を解決するために、本発明では以下の手段を用いた。
半導体チップを覆う封止体から引き出された複数のリードからなる半導体装置であって、
前記リードが前記封止体の一主面から引き出され、前記一主面に対し垂直方向に延出された直線状リードと、
前記直線状リードと離間し、前記直線状リードを螺旋状に取り巻く螺旋状リードと、
を備える半導体装置とした。
【００１０】
また、半導体装置を実装基板に実装した電子装置であって、
前記螺旋状リードを接合する前記実装基板には前記螺旋状リードが貫通する貫通孔が設けられ、
前記貫通孔は前記螺旋状リードに沿った形状であることを特徴とする電子装置とした。
【発明の効果】
【００１１】
上記手段を用いることで、半導体装置を実装基板に実装する際に、取り付け高さを精度良く調整できる半導体装置および電子装置を提供することが可能となる。
【図面の簡単な説明】
【００１２】
【図１】本発明の第１の実施形態に係る半導体装置の斜視図である。
【図２】本発明の第１の実施形態に係る半導体装置の下面図である。
【図３】本発明の第１の実施形態に係る半導体装置を実装基板に実装した電子装置の側面図である。
【図４】本発明の第１の実施形態に係る半導体装置を実装する実装基板の貫通孔部拡大図である。
【図５】本発明の第１の実施形態に係る半導体装置を実装基板に実装したときの上面図である。
【図６】本発明の第２の実施形態に係る半導体装置の斜視図である。
【図７】本発明の第３の実施形態に係る半導体装置の斜視図である。
【図８】従来の半導体装置を実装基板に実装した電子装置の側面図である。
【発明を実施するための形態】
【００１３】
以下、図を参照して本発明の半導体装置について説明する。
図１は、本発明の第１の実施形態に係る半導体装置の斜視図である。
本発明の第１の実施形態に係る半導体装置１は、半導体チップ（図示せず）を樹脂で被覆した円柱形状の樹脂封止体１０と樹脂封止体１０の底面である一主面４から垂直方向に伸びた複数のリード２ａ、２ｂ，３とから構成されている。樹脂封止体内で複数のリード２ａ、２ｂ，３と半導体チップ上の電極は電気的に接続されている。複数のリードは、１本の直線状リード３と直線状リード３と離間してこれを螺旋状に取り巻く複数の螺旋状リード２ａ、２ｂとからなり、１本の直線状リード３は一主面４のほぼ中心から軸方向へ直線的に伸び、螺旋状リード２ａ、２ｂは一主面４の径方向の外周付近から軸方向に螺旋的に伸びて、多重螺旋構造を形成している。このときの螺旋の向きは右巻き、左巻きのいずれでも構わないが、複数の螺旋状リードの巻方向は同一である。一主面４における直線状リード３の中心から螺旋状リードまでの距離である半径ｒは螺旋状リード２ａと螺旋状リード２ｂとで等距離で、この半径ｒは螺旋状リード２ａ、２ｂが周回を重ねても変わらずに常に一定である。また、螺旋状リード２ａの螺旋ピッチ２１は常に一定で、螺旋状リード２ｂにおいても同一の螺旋ピッチ２１を有する。後述するように、この螺旋ピッチ２１の大小によって実装基板上に半導体装置を実装するときの高さ精度が変わることになる。
【００１４】
上記では半導体チップの封止体を樹脂封止体として説明したが、本発明においては樹脂封止体に限定されることなく、メタルＣＡＮで半導体チップを覆った封止体を利用した半導体装置としても良い。また、螺旋状リードが複数である多重螺旋構造を例に説明したが、螺旋状リードは１本でも良い。
【００１５】
図２は、本発明の第１の実施形態に係る半導体装置の下面図である。
左図は半導体装置１の樹脂封止体が円柱形、右図は半導体装置１の樹脂封止体が長方体の例である。樹脂封止体の一主面４上には複数のリード延出部７が設けられおり、一主面４の中心部に１箇所、周辺部に２箇所のリード延出部７が設けられ、周辺部のリード延出部７の１箇所から螺旋状リード２ａ、他の１箇所から螺旋状リード２ｂ、そして、中心部のリード延出部７から直線状リード３が延伸されている。図示された点線は一主面４の中心部を中心とした円を示しており、この円の円周に沿って螺旋状リード２ａ、２ｂが形成され、一主面４における直線状リード３の中心から螺旋状リードまでの距離である半径ｒは螺旋状リード２ａと螺旋状リード２ｂとで等距離である。さらに、螺旋状リード２ａおよび２ｂに対応するリード延出部７は直線状リード３に対応するリード延出部７を中心として対称の位置に設けられている。もし、搭載された半導体チップが４端子であれば、周辺部に設けられるリード延出部７は３箇所となり、中心角１２０°で均等に分割された円周上に３つのリード延出部７が位置することになる。このように端子数が増えた場合は、その数に応じてリード延出部７を円周上に均等に配置すれば良い。
【００１６】
図３は、本発明の第１の実施形態に係る半導体装置を実装基板に実装した電子装置の側面図である。
実装基板１３に予め設けられた複数の貫通孔に、半導体装置１の樹脂封止体１０から延伸された螺旋状リード２ａおよび２ｂ、直線状リード３をネジのように回転させながら押し込み、所定の取り付け高さ５および所定の向きになった時点で止め、実装基板１３とリードとを半田９を介して接合する。そして、実装基板１３の下面から飛び出した不要なリードを切断して電子装置の製造完了となる。螺旋状リード２ａ，２ｂの螺旋ピッチ２１は任意に決められるが、螺旋ピッチ２１を大きくすると、１回の回転による押し込み量は大きく、逆に螺旋ピッチ２１を小さくすると、１回の回転による押し込み量は小さくなる。半導体装置１の高さ精度を厳しく管理したい場合は、螺旋ピッチ２１を小さくしたほうが有利である。
【００１７】
図４は、本発明の第１の実施形態に係る半導体装置を実装する実装基板の貫通孔部拡大図である。（ａ）は側面図、（ｂ）は平面図である。
図４（ａ）に示すように、実装基板１３にはその上表面から下面に至る貫通孔２２が３箇所設けられ、中央の貫通孔２２は直線状リード用の孔で、両端の貫通孔２２は螺旋状リード用の孔である。この側面図では理解しにくいが、左端の貫通孔は上表面から下面にいくに従って紙面の手前から奥方向やや右寄りに傾斜しており、右端の貫通孔は上表面から下面にいくに従って紙面の奥から手前方向やや左寄りに傾斜している。中央の貫通孔２２は実装基板１３の基板平面に対し垂直な貫通孔である。
【００１８】
次に、図４（ｂ）の平面図にて、各々の貫通孔２２の傾斜の様子について説明する。３箇所の貫通孔の貫通孔入口２２ａは横一直線に並んでいるが、両端の貫通孔においては、貫通孔出口２２ｂは貫通孔入口２２ａと完全に重畳せずにずれている。左端の貫通孔では貫通孔入口２２ａに対し貫通孔出口２２ｂが図の上方やや右寄りにずれている。これは、貫通孔２２が上表面から下面にいくに従って手前から奥方向やや右寄りに傾斜していることを示すものである。また、右端の貫通孔２２では貫通孔入口２２ａに対し貫通孔出口２２ｂが図の下方やや左寄りにずれている。これは、貫通孔が上表面から下面にいくに従って手前から奥方向やや左寄りに傾斜していることを示すものである。なお、両端の貫通孔２２の貫通孔入口２２ａと貫通孔出口２２ｂは平面視的に螺旋状リードの描く円周に沿って設けられる。また、この貫通孔の傾斜の度合いは螺旋状リードの傾斜と合致したものであり、螺旋状リードの螺旋ピッチや半径から決まるものである。これらの傾斜の度合いは既知であるから、実装基板へ半導体装置を取り付ける際、取り付け時の回転数さえ知っていれば精度良く所定の高さに実装することが可能である。
【００１９】
もし、上記のような形状の貫通孔２２の形成が困難であれば、両端の貫通孔２２を実装基板１３の基板平面に対し垂直な形状の貫通孔としても構わないが、その際は螺旋状リード２ａ，２ｂが貫通できるように幅広に設ける必要がある。
【００２０】
図５は、本発明の第１の実施形態に係る半導体装置を実装基板に実装したときの上面図である。
螺旋状リードを実装基板１３の貫通孔に通して、半導体装置を回転させる事で、その取り付け高さを精度良く変えられることは上述のとおりだが、本発明の第１の実施形態に係る半導体装置では高さと同時に取り付け向きを任意に決めることもできる。例えば、半導体装置１が指向性の高いセンサの場合、センシングしたい被検出対象（例えば、光や音）に対し検出感度の良好な方向（センシング方向）６に半導体装置１を実装することが容易である。左図では発光体（電球型）と半導体装置１のセンシング方向６が合っていないが、半導体装置１を９０°左に回転させるだけで被検出対象を検出感度良く検出することが可能となる。これは半導体装置１の第一の平面４に対して円の円周に沿うように螺旋状リード２ａ，２ｂを設けたためである。また、半導体装置１のセンシング方向６を変えることでその取り付け高さ５も変わることになるが、螺旋状リード２ａ，２ｂの螺旋ピッチ２１が十分に小さければ、センシング方向６の調整によって変わる高さの変化量は小さいもので許容範囲内とすることが可能である。
【００２１】
図６は、本発明の第２の実施形態に係る半導体装置の斜視図である。
図１では、螺旋状リード２ａ、２ｂが円柱形状の樹脂封止体１０の底面である一主面４にリード延出部が設けられていたが、本発明の第２の実施形態に係る半導体装置では、リード延出部が一主面４ではなく円柱の側面に設けられている構成とした。このような構成とすることで、螺旋状リード２ａ，２ｂの半径ｒを円柱形状の樹脂封止体１０の半径よりも大きくすることができ、耐振性の高い半導体装置１とすることができる。螺旋状リード２ａ，２ｂは２つのスプリングを組合せた形状であり実装基板に接合した場合、外界からの振動が実装基板を経由して半導体装置のリードに伝わり、リードが疲労破壊をして実装不良が生じることがある。螺旋状リード２ａ，２ｂがスプリングとして機能して振動のストレスを緩和してリードの疲労破壊を防ぐことになる。本実施例では、半径がより大きくなったことで振動を受けても半導体装置１の姿勢復元性が高く、より安定したセンシングが可能となる。
【００２２】
図７は、本発明の第３の実施形態に係る半導体装置の斜視図である。
本実施例は、第１実施形態と第３の実施形態を組合せたもので、一方の螺旋状リード２０は一主面４の外周付近にリード延出部が設けられ、ここからリードが螺旋的に伸びている。また、他方の螺旋状リード１９は円柱形状の樹脂封止体１０の側面にリード延出部が設けられ、ここからリードが螺旋的に伸びている。多重螺旋構造を成す２本の螺旋状リードの螺旋ピッチ２１は同じであるが、半径が異なり、円柱の側面から伸びた螺旋状リード１９の半径が円柱の底面から伸びた螺旋状リード２０の半径よりも大きくなるように形成されている。このような構成にすることで、振動数の異なる振動に対しても耐振性のある半導体装置１とすることができる。
【００２３】
これまで、本発明の半導体装置が実装基板に任意の高さに取り付けることができること、実装基板へ任意の向きに取り付けることができること、そして、耐振性があることを説明したが、本発明の半導体装置のリードはコイルと類似した形状であり、アンテナとしても利用できる。このように本発明の半導体装置の場合は、リードの部分を電気信号の伝達としての機能以外に、アンテナ機能としても活用可能である。
【符号の説明】
【００２４】
１      半導体装置
２ａ    螺旋状リード
２ｂ    螺旋状リード
３      直線状リード
４      半導体装置第一の平面
５      取り付け高さ
６      半導体装置のセンシング方向
７      リード延出部
９      半田
１０    樹脂封止体
１１    半導体装置
１２    リード
１３    実装基板
１４    取り付け高さ
１５    半導体装置と対象物との距離
１６    半導体装置のセンシング方向
１９    半径の大きい螺旋状リード
２０    半径の小さい螺旋状リード
２１    螺旋ピッチ
２２    貫通孔
２２ａ  貫通孔入口
２２ｂ  貫通孔出口
ｒ      半径
【図１】
2018170376.tif 000003
【図２】
2018170376.tif 000004
【図３】
2018170376.tif 000005
【図４】
2018170376.tif 000006
【図５】
2018170376.tif 000007
【図６】
2018170376.tif 000008
【図７】
2018170376.tif 000009
【図８】
2018170376.tif 000010